(57)【要約】  本発明は、燻蒸された殺虫剤の濃度が高い場所に紫外線発光ダイオードを用いて蚊などの虫を誘引することによって、誘引された蚊を高い濃度の殺虫剤によって直ぐ撲滅できるようにした殺虫剤燻蒸機に関する。本発明の殺虫剤燻蒸機は、薬品（９０）が設置される薬品設置部（１９）と、前記薬品設置部付近に設置され、薬品が燻蒸部（９１）で燻蒸されるように加熱する加熱部（５０）と、前記燻蒸部付近に設置され、虫誘引効率が高い波長帯の光を照射する光源（７０）と、前記薬品設置部が設けられ、前記加熱部及び光源が設置されたハウジング（１０）と、を含むことを特徴とする。【選択図】図１
2019512237.tif 000002
【特許請求の範囲】
【請求項１】
薬品が設置される薬品設置部と、
前記薬品設置部付近に設置され、前記薬品が燻蒸部で燻蒸されるように加熱する加熱部と、
前記燻蒸部付近に設置され、虫誘引効率が高い波長帯の光を照射する光源と、
前記薬品設置部が設けられ、前記加熱部及び前記光源が設置されたハウジングと、
を含む殺虫剤燻蒸機。
【請求項２】
前記光源は、紫外線発光ダイオード、及び前記紫外線発光ダイオードが実装された基板を含む、請求項１に記載の殺虫剤燻蒸機。
【請求項３】
前記紫外線発光ダイオードから照射される紫外線は３２０ｎｍ〜４００ｎｍの範囲内にピーク波長を有する、請求項２に記載の殺虫剤燻蒸機。
【請求項４】
前記紫外線発光ダイオードから照射される紫外線は３６０ｎｍ〜３７０ｎｍの範囲内にピーク波長を有する、請求項２に記載の殺虫剤燻蒸機。
【請求項５】
前記ハウジングには、前記ハウジングの内部に設置された前記光源から照射された光が通過する通過孔が設けられる、請求項１に記載の殺虫剤燻蒸機。
【請求項６】
前記通過孔には、紫外線透過率が高い材質の保護窓が設置される、請求項５に記載の殺虫剤燻蒸機。
【請求項７】
前記保護窓の材質はＰＭＭＡ、石英又はフッ素系合成樹脂を含む、請求項６に記載の殺虫剤燻蒸機。
【請求項８】
少なくとも前記光源を基準にして前記加熱部が位置する方向と対向する前記ハウジングの位置に空気流入孔が設けられた、請求項１に記載の殺虫剤燻蒸機。
【請求項９】
前記紫外線発光ダイオードは、その紫外線照射角の中心線が鉛直線を中心に後方に向かって９０度以下の角をなすように前記ハウジングに設置される、請求項２に記載の殺虫剤燻蒸機。
【請求項１０】
前記紫外線発光ダイオードが設置された位置より後方に位置する前記ハウジングの表面には、少なくとも後方に向かう紫外線の照射方向を上方に転換させる反射面が設けられる、請求項９に記載の殺虫剤燻蒸機。
【請求項１１】
前記通過孔を介して前記ハウジングの外部に照射される紫外線の照射範囲が制限される、請求項５に記載の殺虫剤燻蒸機。
【請求項１２】
前記照射範囲は、鉛直線を基準にして前方に向かって３０度を超えない、請求項１１に記載の殺虫剤燻蒸機。
【請求項１３】
鉛直線を基準にして前方に向かって照射される紫外線の前記照射範囲を制限する通過孔部分には反射面が設けられる、請求項１１に記載の殺虫剤燻蒸機。
【請求項１４】
前記光源は、前記ハウジングの後面部側に設置され、後方に向かって紫外線を照射する、請求項２に記載の殺虫剤燻蒸機。
【請求項１５】
前記紫外線発光ダイオードの前方には、
少なくとも一部区間で、前記紫外線発光ダイオードの光照射領域の中心線から遠くなるほど、前記紫外線発光ダイオードの発光地点からレンズの外側表面までの距離がさらに遠くなるように形成されるレンズが設置される、請求項１４に記載の殺虫剤燻蒸機。
【請求項１６】
前記レンズは、
前記紫外線発光ダイオードの光照射領域の中心線から所定角度までは、前記紫外線発光ダイオードの光照射領域の中心線を中心に凹状に陥没した領域が形成された、請求項１５に記載の殺虫剤燻蒸機。
【請求項１７】
前記ハウジングの後面部側には、後方に向かって突出するプラグが設置される、請求項９から１６のいずれか１項に記載の殺虫剤燻蒸機。
【請求項１８】
前記ハウジングには、前記光源と前記加熱部との間に配置され、前記加熱部で発生した熱が光源に伝達されることを防止する遮蔽部材が備えられる、請求項１に記載の殺虫剤燻蒸機。
【請求項１９】
前記遮蔽部材は、前記ハウジングに形成された空気流入孔から流入した空気を、前記空気流入孔より上部に位置する空気流出孔にガイドするベーン形状である、請求項１８に記載の殺虫剤燻蒸機。
【請求項２０】
前記燻蒸部の上部に設けられた前記ハウジングの燻蒸孔が前記空気流出孔として使用される、請求項１９に記載の殺虫剤燻蒸機。
【請求項２１】
前記ハウジングは、第１ハウジングと第２ハウジングとが互いに結合される構造を含み、
前記第１ハウジングは、前記加熱部を固定する加熱部固定部材と、前記光源を固定する光源固定部材と、を含む、請求項１に記載の殺虫剤燻蒸機。
【請求項２２】
前記第２ハウジングは、前記第２ハウジングを前記第１ハウジングに結合した状態で、前記加熱部固定部材に固定された加熱部の離脱を防止する加熱部支持部材、及び前記光源固定部材に固定された光源の離脱を防止する光源支持部材のうち少なくともいずれか一つを含む、請求項２１に記載の殺虫剤燻蒸機。
【請求項２３】
前記第１ハウジングには、プラグが設置された締結板が固定されるプラグ固定部が設けられる、請求項２１に記載の殺虫剤燻蒸機。
【請求項２４】
前記光源が前記ハウジングの前面部側に設置され、前方に向かって紫外線を照射し、
前記光源をカバーするカバーをさらに含む、請求項２に記載の殺虫剤燻蒸機。
【請求項２５】
前記ハウジングは、少なくとも一部にガイドレールを含み、
前記光源が前記ガイドレールに沿って移動する、請求項２に記載の殺虫剤燻蒸機。
【請求項２６】
前記ガイドレールをカバーするカバーをさらに含む、請求項２５に記載の殺虫剤燻蒸機。
【発明の詳細な説明】
【技術分野】
【０００１】
本発明は、殺虫剤燻蒸機に関し、より詳細には、紫外線発光ダイオードを用いて燻蒸された殺虫剤の濃度が高い場所に蚊などの虫を誘引することによって、誘引された蚊を高い濃度の殺虫剤によって直ぐ撲滅できるようにした殺虫剤燻蒸機に関する。
【背景技術】
【０００２】
殺虫剤は、人体に対する被害を最小化しながら、蚊などのように撲滅しようとする虫を殺す効果が大きい化学薬品を言う。特に、家庭で主に使用される殺虫剤は、蚊、ゴキブリ及びアリなどをターゲットとしている。
【０００３】
特に、防蚊剤の場合、エアロゾル形態の防蚊剤を噴射したり、蚊取り線香を焚くことによって蚊を退治していた方式から逸脱し、防蚊剤がしみ込んだパッドを用いたり、容器に収容されている液体状の防蚊剤を用いて燻蒸する方式が広く使用されている。このような方式は、防蚊剤が徐々に広がるので臭いをほとんど感じなく、防蚊剤をゆっくり且つ持続的に一晩中使用できるので家庭での使用に特に適している。
【０００４】
ところが、このような電気燻蒸方式の蚊殺虫剤は、燻蒸機から遠く離れた位置では殺虫効果が低下するので、燻蒸機を遠くに置いて寝る人は依然として蚊に刺されるなど、その殺虫効果に限界があった。
【０００５】
これは、燻蒸機から遠く離れるほど空気中に含まれる殺虫剤の濃度が薄くなるためであるが、殺虫剤に耐性が生じた蚊が燻蒸機からある程度離れた位置で活動するときは、殺虫剤の影響をほとんど受けなくなる。
【０００６】
したがって、寝ている間に蚊に刺されることを防止するためには、燻蒸機の近くで寝たり、燻蒸機を幾つも設置することによって空気中にある殺虫剤の濃度を高め、殺虫剤が広がらない死角地帯をなくす方式を用いなければならなかった。しかし、これは、人も殺虫剤の濃度が高い場所に留まらなければならないという結果となり、微細塵や超微細塵などにより脆弱な子供や高齢者の場合は、各種疾患が誘発されるおそれがある。
【発明の概要】
【発明が解決しようとする課題】
【０００７】
本発明は、前記のような問題を解決するためになされたものであって、蚊殺虫剤の燻蒸量を増加させなくても殺虫効果を高めることができる殺虫剤燻蒸機を提供することを目的とする。
【０００８】
また、本発明は、人体に最大限無害でありながらも殺虫効果を高めることができる殺虫剤燻蒸機を提供することを目的とする。
【０００９】
また、本発明は、部品の数を減らして組立工程を単純化し、製造が簡単な殺虫剤燻蒸機を提供することを目的とする。
【００１０】
また、本発明は、蚊誘引効果が高い紫外線を発光させながらも発光効率を高め、殺虫効果が高いと共に、エネルギー消費効率の良い殺虫剤燻蒸機を提供することを目的とする。
【００１１】
また、本発明は、蚊誘引光を屈折又は拡散させることによって蚊誘引効率を向上させると同時に、紫外線が人体に直接照射されることを防止するためにカバーをさらに含む殺虫剤燻蒸機を提供することを目的とする。
【００１２】
また、本発明は、蚊誘引光の照射方向を容易に変化させることによって、殺虫剤燻蒸機の設置環境に関係なく、紫外線による蚊誘引効率を向上させるために紫外線発光ダイオードの移動をガイドするガイドレールが設けられた殺虫剤燻蒸機を提供することを目的とする。
【課題を解決するための手段】
【００１３】
上述した課題を解決するために、本発明は、電気燻蒸機における燻蒸部の周辺に蚊を誘引する紫外線発光ダイオードを設置し、蚊が燻蒸部の周辺に集まるように誘引する電気燻蒸機を提供する。
【００１４】
また、本発明は、前記紫外線発光ダイオードから照射される紫外線が、室内に留まる人の肉眼に直接照射されない防止策が設けられた電気燻蒸機を提供する。
【００１５】
また、本発明は、燻蒸部を加熱する加熱部と紫外線発光ダイオードが同一のハウジングに設置され、調節が容易な電気燻蒸機を提供する。
【００１６】
また、本発明は、加熱部の熱が紫外線発光ダイオードに伝達されることを遮断し、円滑な空気の流れを誘導するベーンが備えられることによって燻蒸がより円滑に行われ、発光効率が高い電気燻蒸機を提供する。
【００１７】
また、本発明は、蚊を誘引する紫外線光源として、ピーク波長を中心とする半値幅が狭い発光ダイオードを使用し、蚊が最も多く誘引される波長帯の紫外線を照射する発光ダイオードが設置された電気燻蒸機を提供する。
【００１８】
具体的に、本発明は、薬品９０が設置される薬品設置部１９；薬品設置部付近に設置され、前記薬品が燻蒸部９１で燻蒸されるように加熱する加熱部５０と、前記燻蒸部付近に設置され、虫誘引効率が高い波長帯の光を照射する光源７０と、前記薬品設置部が設けられ、前記加熱部及び光源が設置されたハウジング１０と、を含む殺虫剤燻蒸機を提供する。
【００１９】
前記燻蒸機において、前記光源は、紫外線発光ダイオード７１、及び前記紫外線発光ダイオードが実装された基板７２を含むことを特徴とする。
【００２０】
前記燻蒸機において、前記紫外線発光ダイオード７１から照射される紫外線は３２０ｎｍ〜４００ｎｍの範囲内にピーク波長を有することを特徴とする。
【００２１】
前記燻蒸機において、前記紫外線発光ダイオード７１から照射される紫外線は３６０ｎｍ〜３７０ｎｍの範囲内にピーク波長を有することを特徴とする。
【００２２】
前記燻蒸機において、前記ハウジングには、前記ハウジングの内部に設置された前記光源から照射された光が通過する通過孔が設けられることを特徴とする。
【００２３】
前記燻蒸機において、前記通過孔には、紫外線透過率が高い材質の保護窓が設置されることを特徴とする。
【００２４】
前記燻蒸機において、前記保護窓の材質は、ＰＭＭＡ、石英又はフッ素系合成樹脂を含むことを特徴とする。
【００２５】
前記燻蒸機において、少なくとも前記光源７０を基準にして前記加熱部が位置する方向と対向するハウジングの位置に空気流入孔６１が設けられたことを特徴とする。
【００２６】
前記燻蒸機において、前記紫外線発光ダイオード７１は、その紫外線照射角の中心線ｃが鉛直線を中心に後方に向かって９０度以下の角をなすように前記ハウジング１０に設置されることを特徴とする。
【００２７】
前記燻蒸機において、前記紫外線発光ダイオード７１が設置された位置より後方に位置するハウジングの表面には、少なくとも後方に向かう紫外線の照射方向を上方に転換させる反射面８５が設けられることを特徴とする。
【００２８】
前記燻蒸機において、前記通過孔１８を介してハウジングの外部に照射される紫外線の照射範囲が制限されることを特徴とする。
【００２９】
前記燻蒸機において、前記照射範囲は、鉛直線を基準にして前方に向かって３０度を超えないことを特徴とする。
【００３０】
前記燻蒸機において、前記鉛直線を基準にして前方に向かって照射される前記紫外線の照射範囲を制限する通過孔部分には反射面が設けられることを特徴とする。
【００３１】
前記燻蒸機において、前記ハウジングの後面部側には、後方に向かって突出するプラグ２０が設置されることを特徴とする。
【００３２】
前記燻蒸機において、前記ハウジングには、前記光源７０と加熱部５０との間に配置され、前記加熱部５０で発生した熱が光源７０に伝達されることを防止する遮蔽部材１６が備えられることを特徴とする。
【００３３】
前記燻蒸機において、前記遮蔽部材１６は、ハウジングに形成された空気流入孔６１から流入した空気を、前記空気流入孔より上部に位置する空気流出孔６２にガイドするベーン形状であることを特徴とする。
【００３４】
前記燻蒸機において、前記燻蒸部の上部に設けられた前記ハウジングの燻蒸孔１４が前記空気流出孔６２として使用されることを特徴とする。
【００３５】
前記燻蒸機において、前記ハウジングは、第１ハウジング１１と第２ハウジング１２とが互いに結合される構造を含み、前記第１ハウジングには、前記加熱部を固定する加熱部固定部材１５と、前記光源を固定する光源固定部材１７とを含むことが特徴とする。
【００３６】
前記燻蒸機において、前記第２ハウジングは、前記第２ハウジングを前記第１ハウジングに結合した状態で、前記加熱部固定部材に固定された加熱部の離脱を防止する加熱部支持部材１５１、及び前記光源固定部材に固定された光源の離脱を防止する光源支持部材１７１のうち少なくともいずれか一つを含むことを特徴とする。
【００３７】
前記燻蒸機において、前記第１ハウジングには、プラグ２０が設置された締結板２１が固定されるプラグ固定部１１２が設けられることを特徴とする。
【００３８】
前記燻蒸機において、前記光源が前記ハウジングの前面側に設置され、前方に向かって紫外線を照射し、前記光源をカバーするカバーをさらに含むことを特徴とする。
【００３９】
前記燻蒸機において、前記ハウジングは少なくとも一部にガイドレールを含み、前記光源が前記ガイドレールに沿って移動することを特徴とする。
【００４０】
前記ガイドレールを含む燻蒸機において、前記ガイドレールをカバーするカバーをさらに含むことを特徴とする。
【発明の効果】
【００４１】
本発明によると、蚊殺虫剤を燻蒸する電気燻蒸機における燻蒸部の周辺に紫外線発光ダイオードを設置することによって蚊を誘引し、その結果、殺虫剤の濃度が高い領域に蚊を誘引して、殺虫効果を高めることができる。
【００４２】
また、本発明によると、人の肉眼に紫外線発光ダイオードが直接露出しない構造を具現することによって、肉眼に紫外線が持続的に露出することによって発生する被害を防止し、殺虫効果を高めながらも蚊殺虫剤の燻蒸量を最小化することができ、燻蒸された殺虫剤によって発生し得る身体疾患の発生を最小化することができる。
【００４３】
また、本発明によると、製品の製作を簡単に行うことができ、且つ価格競争力を備えることができ、維持補修が容易である。
【００４４】
また、本発明によると、エネルギーの消耗が少なく、蚊を多く誘引できる波長帯で発光効率が高く、よく放熱されることによって発光効率をさらに高めることができる紫外線発光ダイオード及びその設置構造により、蚊誘引効率を高めることによって殺虫効率を高めると同時に、エネルギー消費効率を向上させることができる。
【００４５】
また、本発明は、紫外線発光ダイオードをカバーするカバーをさらに含むことによって、蚊誘引光の屈折又は拡散によって蚊誘引効率を向上させると同時に、紫外線が人体に直接照射されることを防止することができる。
【００４６】
また、本発明は、紫外線発光ダイオードの移動をガイドするガイドレールをさらに含むことによって、蚊誘引光の照射方向を容易に変化させ、殺虫剤燻蒸機の設置環境に関係なく、紫外線による蚊誘引効率を向上させることができる。
【図面の簡単な説明】
【００４７】
【図１】本発明に係る一実施例である殺虫剤燻蒸機の分解斜視図である。
【図２】図１の殺虫剤燻蒸機の断面図である。
【図３】殺虫剤燻蒸機の他の実施例の断面図である。
【図４】殺虫剤燻蒸機の他の実施例の断面図である。
【図５】殺虫剤燻蒸機の他の実施例の断面図である。
【図６】殺虫剤燻蒸機の他の実施例の断面図である。
【図７】図６に使用された光源の一実施例を示した斜視図である。
【図８】図７のＸ−Ｘ線断面図である。
【図９】図６に使用された光源の他の一実施例を示した斜視図である。
【図１０】図９のＹ−Ｙ線断面図である。
【図１１】殺虫剤燻蒸機の他の実施例の断面図である。
【図１２】殺虫剤燻蒸機の他の実施例を示した斜視図である。
【発明を実施するための形態】
【００４８】
以下、本発明の好適な実施例を添付の図面を参照して詳細に説明する。
【００４９】
本発明は、以下で開示する実施例に限定されるものではなく、互いに異なる多様な形態に具現可能である。但し、本実施例は、本発明の開示を完全にし、通常の知識を有する者に発明の範囲を完全に知らせるために提供されるものである。
【００５０】
また、本発明で使用された用語であるハウジングの「後面部」及び「前面部」は、本発明の一実施例に係る殺虫剤燻蒸機の設置環境に応じて多様に変更可能であり、例えば、相対的に壁体に向かう面又は曲面が「後面部」を示し、相対的に壁体の反対方向に向かう面又は曲面が「前面」を示すことができる。
【００５１】
図１は、本発明に係る一実施例である殺虫剤燻蒸機の分解斜視図で、図２は、図１の殺虫剤燻蒸機の断面図である。
【００５２】
本発明の燻蒸機は、全体的な外形をなすハウジング１０に薬品９０が組み込まれて固定され、ハウジング１０の内部に薬品９０の燻蒸部９１を加熱する加熱部５０が設置されており、プラグ２０を介して加熱部５０に電源を供給すると、燻蒸部９１に含まれている蚊殺虫剤が徐々に蒸発して空気中に広がる方式で作動する。薬品９０は、容器の内部に液体状の蚊殺虫剤が収容された形態であり、燻蒸部の下端は、容器内部の液体状の殺虫剤に収容されているので、燻蒸部の上部の加熱によって燻蒸部にあった蚊殺虫剤が蒸発すると、毛細管現象により、容器の内部に収容されている液体状の蚊殺虫剤が持続的に燻蒸部から上がるようになる。
【００５３】
本発明は、このような燻蒸部で蒸発した蚊殺虫剤が、空気中で最も濃度が高くなる領域である燻蒸機の周辺空間に蚊を誘引することによって、誘引された蚊を燻蒸機の周辺空間で殺虫することを一つの技術的思想とする。
【００５４】
このために、本発明は、燻蒸部で燻蒸される殺虫剤が広がっていく通路である燻蒸孔１４と近い位置で、少なくとも燻蒸機の上部空間に向かって蚊が多く誘引される光を照射し、燻蒸機から遠く離れているために燻蒸された殺虫剤の影響を受けていなかった蚊を燻蒸機の周辺、特に上部空間に誘引する。
【００５５】
蚊を多く誘引する光を照射する光源７０として、本発明では紫外線発光ダイオード７１を使用する。紫外線発光ダイオード７１は、従来の紫外線ランプに比べて、ピーク波長帯の周辺に光量が集まっている形態、すなわち、半値幅（ｓｐｅｃｔｒｕｍ  ｈａｌｆ  ｗｉｄｔｈ）がさらに狭い形態であるので、蚊誘引のように特定の効果を有する波長の光が集中的に発光する必要があるときに特に有利であることを次の実験を通じて確認した。
【００５６】
以下、同一の条件で紫外線発光ダイオードを設置した捕虫器と、既存の商用ＢＬ（ｂｌａｃｋ  ｌｉｇｈｔ）ランプを使用した捕虫器で捕虫実験を行った結果を説明する。まず、二つの光源の諸元は下記の表の通りである。
【００５７】
【表１】
2019512237.tif 000003
【００５８】
二つの光源は、両方ともピーク波長を３６５ｎｍ付近にして類似する形態に構成することによって、ピーク波長以外の他の要因が蚊誘引効果にどれほど多くの違いをもたらすのかを確認するために下記の実験を進めた。二つの光源の諸元を比較すると、スペクトルピーク値の中間部分の幅（ｓｐｅｃｔｒｕｍ  ｈａｌｆ  ｗｉｄｔｈ）の場合は、紫外線発光ダイオードがＢＬランプの半分に過ぎなく、可視光線領域に対する紫外線の強さの場合は、紫外線発光ダイオードが１３３ｍＷ／ｌｍであって、ＢＬランプの６３ｍＷ／ｌｍより２倍以上大きいことが分かる。
【００５９】
これらの光源を有して野外畜舎で２回実験を進めたが、一晩中誘引されて捕集された個体の数（Ｔｒａｐ  Ｉｎｄｅｘ）は以下の通りである。
【００６０】
【表２】
2019512237.tif 000004
【００６１】
前記の実験結果から分かるように、紫外線発光ダイオードを設置した捕虫器を使用した場合、既存のＢＬランプ捕虫器を使用した場合より５倍以上の捕集効率を有する。このような実験結果は、紫外線発光ダイオードが既存の紫外線ランプより遥かに狭い半値幅を有するので所望の波長帯の紫外線を集中的に照射できるという点、発光ダイオードの場合、ランプとは異なって、照射光が指向性を有しているので目標となる地点に紫外線照射領域を集中できるという点などに起因すると推定される。すなわち、本発明は、既存の紫外線ランプより少なくとも５倍以上の蚊誘引効果をさらに発揮する紫外線発光ダイオードを光源として使用し、発光ダイオードの指向性を活用することによって、蚊が誘引されなければならない場所に紫外線の照射量を集中させる。
【００６２】
一般に、近紫外線（ＵＶＡ）領域帯（３２０ｎｍ〜４００ｎｍ）の紫外線は、虫誘引効果を有するものとして知られているが、その領域のうち、特にどのような波長帯でより良い効果を有するのかに対してはあまり知られていない。このような認識は、ＵＶＡ領域の紫外線ランプが他の領域の紫外線ランプより良い虫誘引効果を有するという点に起因したものである。しかし、紫外線発光ダイオードは、紫外線ランプに比べてかなり狭い半値幅を有するので、どのようなピーク波長を有する紫外線がより良い虫誘引効果を有するのかを特定する必要がある。すなわち、互いに異なる波長帯の光を発光する二つの紫外線発光ダイオードから照射される紫外線がいずれもＵＶＡ領域帯内にあるとしても、これらが互いに異なるピーク波長を有する場合、蚊を誘引する効果は異なり得る。上述した実験において、半値幅が広いために３６５ｎｍを基準にして他の波長の紫外線まで均一に照射したランプと比べると、半値幅が狭いために３６５ｎｍ波長付近の紫外線がより集中的に照射される紫外線発光ダイオードを使用した捕虫器に蚊がさらに多く誘引された点から見ると、３６５ｎｍ付近の紫外線が最も高い蚊誘引効果を有すると推定することができる。
【００６３】
上述した実験結果に基づいて、本発明では、３６５ｎｍのピーク波長を有する紫外線発光ダイオードを光源とする。紫外線発光ダイオードの半値幅を見ると、約３６０ｎｍ〜３７０ｎｍのピーク波長を有する紫外線であれば上述した実験結果に相当する蚊誘引効果を出せると予想される。
【００６４】
本発明は、前記紫外線発光ダイオード７１を実装した基板７２をハウジング１０に設置し、少なくとも燻蒸機の上部に向かって直接／間接的に紫外線を照射する。組立工程の便宜のために、ハウジング１０は２以上の部品に分割・製作されて組み立てられる。第１ハウジング１１と第２ハウジング１２は分割・製作された後、各種部品を収容した状態で互いに結合される。
【００６５】
第１ハウジング１１は、分割されたハウジングの部分構成のうち各種部品が固定される部分として活用され得る。第１ハウジングの中央部には、薬品９０がねじ締結方式で結合又は分離される薬品設置部１９が備えられている。薬品設置部１９の中央部には貫通部が形成されており、薬品９０の燻蒸部９１がこれを貫通してハウジングの内部空間に収容される。
【００６６】
燻蒸部９１を加熱するための加熱部５０が設置される位置である薬品設置部１９の上面には、加熱部固定部材１５が設けられている。加熱部固定部材１５は、上方に突出した突起状に構成されており、この突起が加熱部５０に設けられた溝に圧入されることによって、加熱部５０が第１ハウジング１１に固定される。加熱部５０の固定構造は、圧入方式に限定されるものではなく、組立過程で加熱部５０を第１ハウジング１１に容易に固定できる構造であれば十分であるので、多様な他の固定方式も適用可能である。
【００６７】
加熱部５０は、ドーナツ状の環形発熱体であって、電気エネルギーを熱エネルギーに変換させることによって燻蒸部９１を加熱する構成である。加熱部５０は、後述するプラグ２０と電線２２を介して電気的に接続されることによって電源の供給を受ける。薬品設置部１９に薬品９０を設置するとき、薬品９０上部の燻蒸部９１がドーナツ状の加熱部５０に内挿される。したがって、加熱部は燻蒸部を取り囲むようになり、その結果、加熱部で発生した熱は燻蒸部にうまく伝達される。
【００６８】
壁体に設置されたコンセントに差し込まれ、外部電源の供給を受ける通路となるプラグ２０は締結板２１に固定設置され、電線２２を介して加熱部５０と電気的に接続され、再び電線２４を介して基板７２に電気的に接続される。締結板２１に固定されたプラグ２０は、電線２２、２４を介して加熱部５０及び光源７０に接続された状態で製作され、第１ハウジング１１上に固定される。
【００６９】
プラグ２０は、その締結板２１を第１ハウジング１１のプラグ固定部１１２に組み込めて固定する。締結板２１は、プラグ固定部１１２の上部から下方に組み込まれて互いに締結される。次に、上述したように、加熱部５０を第１ハウジング１１に固定し、再び紫外線発光ダイオード７１が実装された基板７２を光源固定部材１７に組み込めて固定する。第１ハウジング１１は、ある程度の弾性を有する合成樹脂系の材質で製作可能であり、基板７２は、このようにある程度の弾性を有する光源固定部材１７に圧入され、その位置が固定され得る。基板７２上に実装された紫外線発光ダイオードは上方に向かうように配置される。
【００７０】
この状態で第２ハウジング１２を第１ハウジング１１に締結することができる。締結方式としては、ねじ締結、スナップインフックなどの通常の多様な方式が適用され得る。第２ハウジング１２の中央部分において、ハウジングに固定された薬品９０の燻蒸部９１の上端に整列された位置には燻蒸孔１４が設けられている。燻蒸部９１は、燻蒸孔１４の上端より突出していない状態で整列されることによって、ユーザーが燻蒸部の上端に直接接触することを防止した。そして、図示したように、燻蒸部９１の上端と燻蒸孔１４との間には少しのギャップがあり、ハウジング１０の内部空間の加熱空気が殺虫剤の燻蒸時に燻蒸孔１４を介して燻蒸された殺虫剤と共に流動しながら抜け出るようにした。
【００７１】
第２ハウジング１２を第１ハウジング１１に締結すると、第２ハウジング１２の底面から下方に突出した加熱部支持部材１５１は加熱部の上端を軽く押すようになる。したがって、第２ハウジングと第１ハウジングとを結合すると、加熱部５０が加熱部固定部材１５から上方に抜ける現象を防止することができる。同様に、光源支持部材１７１も基板の上面エッジを軽く押すことによって基板の離脱を防止する。そして、第２ハウジングの外周底面は、プラグ固定部１１２に組み込まれているプラグの締結板２１を押すようになるので、締結板２１もハウジングに堅固に固定される。
【００７２】
本発明は、まず、プラグ２０、加熱部５０及び光源７０を互いに電線などを介して電気的に接続した状態で、これらを分割されたハウジング部品のうち一つのハウジングである第１ハウジングに一時的に固定した後、第２ハウジング１２を第１ハウジング１１に締結する方式で組み立てるようになるので、組立過程が簡単である。また、第２ハウジング１２が第１ハウジング１１と締結されると同時に、第１ハウジング１１に一時的に固定されていた前記各部品が堅固に固定されるので、組立工数をさらに減らすことができる。
【００７３】
ハウジングに設置された紫外線発光ダイオード７１の位置に対応する第２ハウジング１２部分には、紫外線発光ダイオード７１から照射された紫外線をハウジングの外部に照射させる通過孔１８が設けられている。図示したように、必要に応じて、通過孔１８を塞ぐ保護窓８０を設置することによって紫外線発光ダイオード７１を保護できることは当然である。保護窓８０は、ＵＶＡ領域帯の紫外線が透過し得る材質でなければならなく、透過率が高く、エネルギー準位が高い紫外線のエネルギーを吸収し、劣化現象の発生を防止しなければならない。これに適した材質としては、石英（ｑｕａｒｔｚ）、単量体の比率が約８５％以上であるＰＭＭＡ（Ｐｏｌｙ  Ｍｅｔｈｙｌ  Ｍｅｔａ  Ａｃｒｙｌａｔｅ）、「Ｄｕｐｏｎｔ」社の「Ｔｅｆｌｏｎ」などのフッ素系合成樹脂を使用することができる。
【００７４】
もちろん、図示したように、紫外線発光ダイオード７１が半球状の１次レンズとパッケージ形態に実装された場合は、発光ダイオードチップ部分が１次レンズによって保護されるので、保護窓を省略することが十分可能である。１次レンズは、紫外線発光ダイオード７１の発光点を中心にした半球状に製作することによって、レンズの境界で生じる紫外線の反射率を最小化することができる。
【００７５】
図１及び図２を参照して説明した燻蒸機によると、プラグ２０を壁体のコンセントに差し込んだ状態で電源が加熱部５０及び基板７２に印加され、その結果、殺虫剤の燻蒸及び紫外線の照射が起こるようになる。紫外線は、図示したように、燻蒸が起こる方向と一致する上方に向かって照射されるので、蚊はこのように燻蒸機の上部空間に照射される紫外線によって誘引され、殺虫剤の濃度が高い空間である燻蒸機の上部空間で直ぐ撲滅される。
【００７６】
一方、少なくともハウジング１０の側面には空気流入孔６１が設けられており、加熱部によって加熱された後、燻蒸部９１を介して上部に流出する空気によって空になるハウジングの内部空間に、前記空気流入孔６１を介して加熱されていない空気が流入する。光源７０は、このような空気流入孔６１と加熱部５０との間に位置しているので、加熱部５０によって加熱された空気の影響を最小限に受けながら、空気流入孔６１を介して流入した空気と接して十分に冷却されるようにした。
【００７７】
また、光源７０は、燻蒸部９１を基準にしてプラグ２０が設置される方向の反対方向に位置している。燻蒸機を基準にして見たとき、プラグが設置される方向は壁体がある後方となるので、燻蒸部を基準にしてそれより前方に光源７０を置くことによって、光源によって紫外線が照射される燻蒸部の上部領域を少しでもさらに確保できるようになる。また、これによって、空気流入孔６１もハウジングの前方に形成されるので、空気流入がさらに円滑に行われる。
【００７８】
以下、本発明の他の実施例について説明する。図３〜図６は、それぞれ殺虫剤燻蒸機の他の実施例の断面図である。図３〜図６を説明するにおいて、既に説明した事項と重複する部分に対する説明は省略可能であるので、以下で重複内容を説明していなくても、後述する各実施例に関連構成がなかったり、関連技術が適用されていないことを意味するものではないという点に留意すべきであろう。
【００７９】
まず、図３を参照すると、本発明の他の実施例に係る燻蒸機は、第２ハウジング１２の上面が中央に行くほど陥没する形態に構成されている。そして、燻蒸部９１より前方に設置された紫外線発光ダイオード７１は、その照射角の中心線ｃが、鉛直線ｖを中心に後方に向かってやや傾いた形態となっている。また、紫外線発光ダイオード７１の中心線ｃに沿ってその上側のハウジング部分に紫外線通過孔１８が形成されている。鉛直線を中心に後方に向かって傾いた角度は、０度（中心線と鉛直線とが一致する位置）から９０度の範囲内で適宜選択され得る。
【００８０】
このように紫外線発光ダイオード７１が後方に傾いた形態に設置される理由は、紫外線発光ダイオードから照射された光を肉眼で直接見ることを防止するためである。ピーク波長３６５ｎｍの近紫外線（ＵＶＡ領域）は人体に及ぼす影響が少ないが、肉眼がこれに過度に露出する場合、眼疾患が発生するおそれを完全に排除することはできない。そこで、本発明では、少しでも後方に向かって紫外線が偏った状態で照射されるように構成することによって、肉眼がこれに直接露出することを防止し、後方に向かって照射された紫外線が壁体に到達して散乱されることによって、燻蒸機から遠くに位置する蚊が、紫外線が散乱される壁面によって誘引されるようにすることを一つの技術的特徴とする。
【００８１】
また、図３を参照すると、このような加熱部５０と光源７０との間には遮蔽部材１６が設置されている。遮蔽部材１６は、加熱部５０から輻射によって熱が光源に伝達されることを遮断する位置、すなわち、遮蔽部材１６と加熱部５０の位置を直線で引いたとき、その直線上に設置される。そして、遮蔽部材１６は、加熱部５０で加熱された空気の熱が対流しながら光源に伝達されることを遮断する位置及び形状を有する。このために、加熱部に向かい合う遮蔽部材１６の面は、上方に行くほど燻蒸部９１と近くなる形状に構成されている。これらの二つの条件を満足しながら、図示したように、遮蔽部材１６を薄いカイド板などのベーン形状にすると、光源７０を基準にして加熱部と対向する方向に形成された空気流入孔６１を介して流入した空気は、ベーン形状に沿ってその流動がガイドされ、燻蒸孔１４を介して排出されるので、燻蒸拡散効率を高めることはもちろん、加熱部で発生する熱が対流して光源側に移動することを防止することができる。すなわち、燻蒸孔１４は、空気流入孔を介してハウジングの内部に流入した空気が各内部構成を冷却した後で排出される空気流出孔としての機能を果たすようになる。
【００８２】
また、図３に示したように、ハウジング１０部分のうち高さが最も高い部分でありながら、光源７０と近い位置に別途の空気流出孔６２をさらに形成することによって、空気流入孔６１を介して流入した空気は、光源７０で発生する熱を吸収した後（すなわち、光源を冷却した後）、ハウジング上部の斜面に乗って移動し、空気流出孔６２を介して外部に円滑に排出されるように構成することができる。また、通過孔１８に別途の保護窓８０を設置していない場合は、これを通じても加熱空気を円滑に排出できることは当然である。
【００８３】
次に、本発明の更に他の実施例を図示した図４を参照すると、光源７０は、ハウジングの前方上端部に設置されており、光源の中心照射方向（ｃ参照）は、実質的に水平と言えるほどに後方に向かっている。特に、第２ハウジング１２の上面の中心部は紫外線発光ダイオード７１の照射角の中心線ｃより下側に位置し、第２ハウジングの上面の外側部は外側に行くほど上方に傾斜する形態に構成されており、この上方に傾斜する部分は、紫外線発光ダイオード７１の照射角の中心線ｃと交差する。一方、ハウジングの上面には、紫外線がよく反射される反射面８５が設けられている。
【００８４】
このような構造を有する燻蒸機に電源が供給され、紫外線が照射されると、中心線ｃより上側に向かって照射される紫外線は、燻蒸機が差し込まれている壁体の上部に直接到達するようになり、中心線ｃより下側に向かって照射される紫外線は反射面８５で反射され、その照射方向が上方に転換されて、燻蒸機の上部及び壁体側に向かって照射される。また、中心線ｃと並んで照射される紫外線は、中心線と交差する傾斜面で反射され、その方向が上方に転換される。したがって、紫外線発光ダイオードの照射角の中心線が水平となっていたとしても、紫外線は、燻蒸機の上部空間及び壁体に十分に照射され得る。特に、図４の実施例によると、燻蒸孔１４の真上を通過する紫外線は非常に高い照度を有し、燻蒸孔１４の入口部分では、燻蒸された殺虫剤の微細粒子の分布密度が非常に高いので、微細粒子の表面で紫外線の散乱が起こるようになり、特に、可視光線に比べて短い波長を有する紫外線の散乱がさらに多く起こるので、粒子によって散乱された光は、人の目には映らないと共に、蚊の目にはよく映るようになる。したがって、図４に示した実施例によると、上述した各原理によって蚊誘引効果をさらに高めることができる。
【００８５】
次に、本発明の更に他の実施例を図示した図５には、紫外線発光ダイオードから照射される紫外線の照射角を通過孔１８で制限できるという点が示されている。すなわち、紫外線発光ダイオード７１から鉛直線ｖを基準にしてそれより前方に照射される紫外線の照射範囲は、通過孔１８及び紫外線発光ダイオード７１の相対的な位置によって決定され得る。壁体に設置されるコンセントは、ほとんどが人の背より低い位置に設けられることが一般的であるので、鉛直線ｖに対して紫外線が前方に向かって照射される範囲が、例えば、３０度を超えないようにすると、人が肉眼で直接紫外線を見る可能性を大きく低下させることができる。
【００８６】
また、通過孔１８の内周面のうち、特に鉛直線を基準にして前方に向かって照射される紫外線の照射範囲を制限する通過孔部分には反射面８５が設けられており、通過孔の形状によって前方に向かって照射されることが制限された紫外線の照射方向を再び後方に転換させることによって、紫外線による蚊誘引効率をさらに高めることができる。
【００８７】
次に、本発明の更に他の実施例を図示した図６には、紫外線発光ダイオード７１がハウジングの後面部側で後方に向かって設置された構造が示されている。このような構造によると、壁体に燻蒸機を設置したとき、人が肉眼で紫外線発光ダイオード７１を見る可能性を著しく低下させることができ、紫外線発光ダイオード７１から照射された紫外線は壁体の表面で散乱又は反射され、蚊の目で見たとき、間接照明と同じ効果を有するようになる。したがって、図６に示した燻蒸機の場合にも、蚊誘引効率を高めることができる。特に、図６に示した燻蒸機の場合、後方に向かって設置された紫外線発光ダイオード７１の前面に２次レンズを設置し、紫外線の照射角を広げることはもちろん、紫外線の照射方向を前方から側方に転換することによって蚊誘引効果をさらに高めることができる。
【００８８】
図７は、図６に使用された光源の一実施例を示した斜視図で、図８は、図７のＸ−Ｘ線断面図である。図７を参照すると、図６に示した実施例の光源７０は、基板７２上に紫外線発光ダイオード７１が実装され、その上部にレンズが一体に又は別途に設置される構造である。図６に示したように、紫外線発光ダイオードが後方に向かって設置された場合、紫外線の照射領域が燻蒸部の直後方の壁体に集中することなく、燻蒸部を中心に壁体に全体的に広く拡散されるように紫外線を照射するためには、紫外線発光ダイオード７１から照射されて出る紫外線が最大限広い指向角を有するように光経路を制御しなければならない。
【００８９】
図８を参照すると、紫外線発光ダイオード７１の光照射領域の中心線Ｏを基準にして紫外線発光ダイオード７１から出射される光経路に至る角をａとすると、ａが増加するにつれて、紫外線発光ダイオード７１の発光地点で２次レンズ７４表面の出射点Ｅまでの距離ｒが徐々に増加するように２次レンズ７４の表面プロファイルが形成される。このようなプロファイルによると、紫外線発光ダイオード７１から出射される紫外線が２次レンズ７４の表面で屈折されて出射されながら光経路の角度がａからａ’に変更される（ａ＜ａ’）。したがって、紫外線発光ダイオード７１から出射する紫外線は、２次レンズ７４によって図面上の左右方向にその拡散角がさらに大きくなる。このような２次レンズ７４の形態は、半球状の風船を上側から押してさらに平たく製作した形態と同じである。
【００９０】
このような形態の２次レンズ７４を、パッケージ形態に紫外線発光ダイオード７１と共に実装された１次レンズ７３上に設置すると、紫外線発光ダイオード７１の照射角がさらに大きくなるので、紫外線が燻蒸部を中心に壁体に全体的に広く拡散された形態で照射されるように構成することができる。
【００９１】
上述した形態の２次レンズには、依然として紫外線発光ダイオード７１の正面に照射される紫外線が集中する。以下では、紫外線発光ダイオード７１の正面に照射される紫外線を最大限側面方向に照射し、図６のような使用環境で紫外線をさらに広く照射することによって蚊誘引効果を高めることができるレンズ形態を提示する。
【００９２】
図９は、図６に使用された光源の他の一実施例を示した斜視図で、図１０は、図９のＹ−Ｙ線断面図である。図９に示したレンズは、図７のレンズと比べて、レンズの中心を尖ったピンでさらに押し、レンズの中央部が凹状に陥没した形態である点で異なっている。すなわち、図７と比べて、図９のレンズは、図１０の断面を見ると、光照射領域の中心線Ｏ付近に陥没した領域（０＜ａ＜ａ１）が形成された点で異なっている。陥没した領域は、紫外線発光ダイオード７１の光照射領域の中心線Ｏから外側に傾斜して延長された形状であり、外側に延長されることによって、その勾配が徐々に減少する形態（上側に凸状の形態）からなる。
【００９３】
図１０を見ると、陥没した領域がある場合は、それがない場合に比べて光の分散効果が大きくなる。すなわち、陥没した領域では全反射が起こったり、全反射が起こらなかったとしても、レンズ表面に到達した光の相当部分が反射され、その経路が側方に変更される。したがって、光照射領域の中心線付近に集中する光が相当分散されるという効果を有するようになる。結局、中心線からＡ１地点までは、紫外線発光ダイオード７１から出射された紫外線が反射又は全反射され、その照射方向が側面に変更される領域となる。また、レンズの外側表面Ｅから反射や全反射によって基板方向に戻ってくる紫外線が存在し得るという点を勘案して、第２レンズ７４の底面又は基板７２上には反射面７５が形成されることが好ましい。そうすると、紫外線は、反射面７５から再反射される紫外線によってさらに分散される。
【００９４】
すなわち、図６に示した位置に紫外線発光ダイオード７１を設置したとしても、図７及び図９に示した構造の２次レンズを使用すると、いくらでも紫外線の照射領域を広げることができ、その結果、人が紫外線発光ダイオードを直接見るおそれをなくすと共に、蚊誘引効率を高めることができる。
【００９５】
図１１には、紫外線発光ダイオード７１がハウジング１０の前面部側で前方に向かって設置され、紫外線発光ダイオード７１の前方にカバー７６をさらに含む構造が示されている。カバー７６は、その形状が特に限定されなく、紫外線発光ダイオード７１の前方に着脱可能に設けられ、ユーザーが紫外線発光ダイオード７１を容易に交替することができ、紫外線発光ダイオード７１から照射される光が透過する材質であってもよい。また、カバー７６は、前記光を屈折又は拡散できるように表面が凹凸処理された形態であってもよく、別途のカバー板（図示せず）がカバー７６の前方又は後方に付着又は離隔して配置される形態であってもよい。すなわち、害虫、特に蚊は、光が直接照射される場合に比べて、光が屈折又は拡散される場合に誘引効率が向上する傾向を示すが、紫外線発光ダイオード７１から照射された光が直ぐ照射されなく、カバー７６を透過するように構成することによって、蚊の光誘引効率を向上させることができる。
【００９６】
一例として、カバー７６は、少なくとも一部又は全部が透光性材質で形成されてもよく、例えば、紫外線発光ダイオード７１から照射される光が透過する部分は、ポリカーボネート（Ｐｏｌｙｃａｒｂｏｎａｔｅ；ＰＣ）、ポリエチレンテレフタレート（Ｐｏｌｙｅｔｈｙｌｅｎｅｔｅｒｅｐｈｔｈａｌａｔｅ；ＰＥＴ）、メタクリレート−スチレン（Ｍｅｔｈａｃｒｙｌａｔｅ−Ｓｔｙｒｅｎｅ；ＭＳ）、ポリメチルメタクリレート（Ｐｏｌｙｍｅｔｈｙｌｍｅｔｈａｃｒｙｌａｔｅ；ＰＭＭＡ）などの材質を含んでもよく、透明、半透明及び有色のうち少なくとも一つを含む色で形成されてもよい。
【００９７】
したがって、殺虫剤燻蒸機は、紫外線発光ダイオード７１がハウジング１０の前面部側で前方に向かって設置され、光到達面積を向上させると同時に、カバー７６によって光を屈折又は拡散させ、蚊の光誘引効率を向上させながらも、カバー７６によって紫外線が人の肉眼に直接露出しない構造を具現することによって、紫外線が持続的に肉眼に露出することによって発生する被害を防止することができ、蚊殺虫剤の燻蒸量を最小化することができ、燻蒸された殺虫剤によって発生し得る身体疾患の発生を最小化することができる。
【００９８】
図１２には、紫外線発光ダイオード７１をハウジング１０の少なくとも一側でガイドするガイドレール７７が設けられた構造が示されている。紫外線発光ダイオード７１は、ガイドレール７７に沿ってハウジング１０の外周面に沿って移動することができ、ユーザーが手動で調節したり、別途に設けられた駆動部（図示せず）によって自動的に調節され得る。前記駆動部は、電動モーターや油圧式シリンダーなどの公知の技術を用いて具現可能であり、紫外線発光ダイオード７１又はこれを含む光源７０をガイドレール７７に沿って動かす機能を行うことができる。すなわち、殺虫剤燻蒸機は、誘引光源である紫外線発光ダイオード７１の照射方向を容易に変更できるようにし、殺虫剤燻蒸機の設置環境が変化したとしても、害虫、特に蚊の光誘引効率を高く維持することができる。
【００９９】
また、図１２に示したように、ガイドレール７７をカバーするカバー７６がさらに設置されてもよく、カバー７６の設置形態及び材質などは、図１１を参照して説明したものを適用することができる。すなわち、殺虫剤燻蒸機は、設置環境が変化したとしても、害虫、特に蚊の光誘引効率を高く維持できると同時に、誘引光を屈折又は拡散させ、光誘引効率を向上させながらも、紫外線が人の肉眼に直接露出することを防止することができる。
【０１００】
以上のように、本発明を例示した図面を参照して説明したが、本明細書に開示した実施例及び図面によって本発明が限定されることはなく、本発明の技術思想の範囲内で通常の技術者によって多様な変形が可能であることは自明である。併せて、本発明の実施例を説明しながら、本発明の構成による作用効果を明示的に記載して説明していないとしても、当該構成によって予測可能な効果も認められなければならないことは当然である。
【図１】
2019512237.tif 000005
【図２】
2019512237.tif 000006
【図３】
2019512237.tif 000007
【図４】
2019512237.tif 000008
【図５】
2019512237.tif 000009
【図６】
2019512237.tif 000010
【図７】
2019512237.tif 000011
【図８】
2019512237.tif 000012
【図９】
2019512237.tif 000013
【図１０】
2019512237.tif 000014
【図１１】
2019512237.tif 000015
【図１２】
2019512237.tif 000016
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
薬品が設置される薬品設置部と、
前記薬品設置部付近に設置され、薬品が燻蒸部で燻蒸されるように加熱する加熱部と、
前記燻蒸部付近に設置され、虫誘引効率が高い波長帯の光を照射する光源と、
前記薬品設置部が設けられ、前記加熱部及び前記光源が設置されたハウジングと、
を含み、
前記光源は、紫外線発光ダイオード、及び前記紫外線発光ダイオードが実装された基板を含み、
前記ハウジングには、前記ハウジングの内部に設置された前記光源から照射された光が通過する通過孔が設けられる、
殺虫剤燻蒸機。
【請求項２】
前記通過孔には、紫外線透過率が高い材質の保護窓が設置される、請求項１に記載の殺虫剤燻蒸機。
【請求項３】
少なくとも前記光源を基準にして前記加熱部が位置する方向と対向する前記ハウジングの位置に空気流入孔が設けられた、請求項１に記載の殺虫剤燻蒸機。
【請求項４】
前記紫外線発光ダイオードは、その紫外線照射角の中心線が鉛直線を中心に後方に向かって９０度以下の角をなすように前記ハウジングに設置される、請求項１に記載の殺虫剤燻蒸機。
【請求項５】
前記紫外線発光ダイオードが設置された位置より後方に位置する前記ハウジングの表面には、少なくとも後方に向かう紫外線の照射方向を上方に転換させる反射面が設けられる、請求項４に記載の殺虫剤燻蒸機。
【請求項６】
前記通過孔を介して前記ハウジングの外部に照射される紫外線の照射範囲が制限される、請求項１に記載の殺虫剤燻蒸機。
【請求項７】
前記照射範囲は、鉛直線を基準にして前方に向かって３０度を超えない、請求項６に記載の殺虫剤燻蒸機。
【請求項８】
鉛直線を基準にして前方に向かって照射される前記紫外線の照射範囲を制限する通過孔部分には反射面が設けられる、請求項６に記載の殺虫剤燻蒸機。
【請求項９】
前記光源は、前記ハウジングの後面部側に設置され、後方に向かって紫外線を照射する、請求項１に記載の殺虫剤燻蒸機。
【請求項１０】
前記紫外線発光ダイオードの前方には、
少なくとも一部区間で、前記紫外線発光ダイオードの光照射領域の中心線から遠くなるほど、前記紫外線発光ダイオードの発光地点からレンズの外側表面までの距離がさらに遠くなるように形成されるレンズが設置される、請求項９に記載の殺虫剤燻蒸機。
【請求項１１】
前記レンズは、
前記紫外線発光ダイオードの光照射領域の中心線から所定角度までは、前記紫外線発光ダイオードの光照射領域の中心線を中心に凹状に陥没した領域が形成された、請求項１０に記載の殺虫剤燻蒸機。
【請求項１２】
前記ハウジングの後面部側には、後方に向かって突出するプラグが設置される、請求項４から１１のいずれか１項に記載の殺虫剤燻蒸機。
【請求項１３】
前記ハウジングには、前記光源と前記加熱部との間に配置され、前記加熱部で発生した熱が光源に伝達されることを防止する遮蔽部材が備えられる、請求項１に記載の殺虫剤燻蒸機。
【請求項１４】
前記遮蔽部材は、前記ハウジングに形成された空気流入孔から流入した空気を、前記空気流入孔より上部に位置する空気流出孔にガイドするベーン形状である、請求項１３に記載の殺虫剤燻蒸機。
【請求項１５】
前記燻蒸部の上部に設けられた前記ハウジングの燻蒸孔が前記空気流出孔として使用される、請求項１４に記載の殺虫剤燻蒸機。
【請求項１６】
前記ハウジングは、第１ハウジングと第２ハウジングとが互いに結合される構造を含み、
前記第１ハウジングは、前記加熱部を固定する加熱部固定部材と、前記光源を固定する光源固定部材と、を含む、請求項１に記載の殺虫剤燻蒸機。
【請求項１７】
前記第２ハウジングは、前記第２ハウジングを前記第１ハウジングに結合した状態で、前記加熱部固定部材に固定された加熱部の離脱を防止する加熱部支持部材、及び前記光源固定部材に固定された光源の離脱を防止する光源支持部材のうち少なくともいずれか一つを含む、請求項１６に記載の殺虫剤燻蒸機。
【請求項１８】
前記第１ハウジングには、プラグが設置された締結板が固定されるプラグ固定部が設けられる、請求項１６に記載の殺虫剤燻蒸機。
【請求項１９】
前記光源が前記ハウジングの前面部側に設置され、前方に向かって紫外線を照射し、
前記光源をカバーするカバーをさらに含む、請求項１に記載の殺虫剤燻蒸機。
【請求項２０】
前記ハウジングは、少なくとも一部にガイドレールを含み、
前記光源が前記ガイドレールに沿って移動し、
前記ガイドレールをカバーするカバーをさらに含む、請求項１に記載の殺虫剤燻蒸機。
【国際調査報告】
2019512237.tif 000017
2019512237.tif 000018
2019512237.tif 000019
2019512237.tif 000020
2019512237.tif 000021
2019512237.tif 000022
2019512237.tif 000023
2019512237.tif 000024
2019512237.tif 000025
2019512237.tif 000026
2019512237.tif 000027
2019512237.tif 000028